(57)【要約】【課題】複数の制御部を接続する通信線を備え、この通信線の異常時も装置の主機能を稼動することができるようにする。また異常が発生していることを利用者に報知する。【解決手段】電子機器を制御する第１の制御部と、第１の制御部に電力供給する第１電源部を備える。また前記第１電源部を制御する第２の制御部と、前記第１の制御部と第２の制御部を接続する通信線を備える。前記通信線の異常時に、第２制御部が前記第１電源部を稼動状態に制御する。【選択図】図１
2007034963.tif 000002
【特許請求の範囲】
【請求項１】
電子機器内の各部を制御する第１の制御部と、
前記第１の制御部に電力供給する第１電源部と、
前記第１電源部を制御する第２の制御部と、
前記第１の制御部と第２の制御部を接続する通信線と
を備え、前記通信線の異常時には前記第２制御部は前記第１電源部を稼動状態に制御することを特徴とする電子機器。
【請求項２】
更に電源スイッチ及び前記電源スイッチのオフを検出する検出手段を備え、前記第１制御部は、前記検出手段により前記電源スイッチがオフであることを検出すると前記第１電源の備えるコンデンサに蓄えられた電荷からの電力供給が停止する前に処理中データの退避処理を行うことを特徴とする請求項１に記載の電子機器。
【請求項３】
電子機器内の第１の部分を動作制御する動作制御部と、
前記動作制御部に電源供給するサブ電源部と、
電子機器内の第２の部分を駆動制御する駆動制御部と、
前記駆動制御部に電源供給するメイン電源部と、
前記メイン電源部およびサブ電源部を制御する電源制御部と、
前記電源制御部に電源供給する常駐電源部と、
前記動作制御部と電源制御部を接続する通信線と
を備え、前記通信線の異常時には前記電源制御部はメイン電源部及びサブ電源部を稼動状態に制御することを特徴とする電子機器。
【請求項４】
更に電源スイッチ及び前記電源スイッチのオフを検出する検出手段を備え、前記動作制御部および駆動制御部は、前記検出手段により前記電源スイッチがオフであることを検出すると前記メイン電源部およびサブ電源部の備えるコンデンサに蓄えられた電荷からの電力供給が停止する前に処理中データの退避処理を行うことを特徴とする請求項３に記載の電子機器。
【請求項５】
電子機器内の第１の部分を動作制御する動作制御部と、
前記動作制御部に電力供給するサブ電源部と、
電子機器内の第２の部分を駆動制御する駆動制御部と、
前記駆動制御部に電力供給するメイン電源部と、
前記メイン電源部およびサブ電源部を制御し機能スイッチを有する電源制御部と、
前記電源制御部に電力供給する常駐電源部と、
前記動作制御部と前記電源制御部を接続する通信線と、
前記サブ電源部と前記メイン電源部と前記常駐電源部からなり商用電源から電力供給される直流電源部と、
商用電源から前記直流電源部への電力供給状況を示す一次側信号を生成する一次側信号生成部と
を備え、前記通信線の異常時に前記電源制御部は機能スイッチのオフを検出したとき、前記一次側信号の生成を停止させて駆動制御部に機能スイッチのオフを検出させ、メイン電源部及びサブ電源部をオフにすることを特徴とする電子機器。
【請求項６】
表示部を更に備え、前記通信線の異常時に表示部にトラブル表示することを特徴とする請求項１、３、５に記載の電子機器。
【請求項７】
前記動作制御部および駆動制御部は前記機能スイッチのオフを検出したときは処理中データの退避処理を行うことを特徴とする請求項５に記載の電子機器。
【発明の詳細な説明】
【技術分野】
【０００１】
本発明は、２以上のＣＰＵを備え、各ＣＰＵ間を接続する通信線が異常の場合も稼動状態に制御する電子機器に関する。特に電源制御ＣＰＵと動作制御ＣＰＵ間の通信線異常の場合にも稼動し、終了することができる電子機器に関する。
【背景技術】
【０００２】
今日の多くの電子機器は、複数の回路基板を有し、各回路基板間をコネクタにより接続して構成される。特許文献１は負荷回路を有するプラグイン型基板と、起動制御可能なオンボード電源を有するプラグイン型基板をコネクタで接続する電源システムを開示している。この電源システムは、プラグイン型基板の接続状況を基板検出部により検出し、この基板検出部の検出によりプラグイン型基板のオンボード電源を起動及び停止を制御する起動制御部を備える。電源システムは、上記基板検出部と起動制御部により、装置に必ず実装しなければその装置が機能しない基板や機能を２つ以上に分割した基板あるいは他の基板と組合せないと正常に機能しない基板(例えば、ＣＰＵ基板、メモリ基板、ハードディスク基板)に応じて、各プラグイン型基板の動作を制御する。
【特許文献１】特開平９―３２２４００号公報
【発明の開示】
【発明が解決しようとする課題】
【０００３】
特許文献１は、オンボード電源を有する複数のプラグイン型基板を備える電源システムを開示している。しかし複数のプラグイン型基板を接続する通信線の異常は考慮されていない。
本発明は複数の制御部を接続する通信線を備え、この通信線の異常時も装置の主機能を稼動状態に制御することができるようにするものである。さらに異常が発生していることを利用者に報知するものである。
【課題を解決するための手段】
【０００４】
本発明の電子機器は、電子機器内の各部を制御する第１の制御部と、前記第１の制御部に電力供給する第１電源部と、前記第１電源部を制御する第２の制御部と、前記第１の制御部と第２の制御部を接続する通信線とを備え、前記通信線の異常時には前記第２制御部は前記第１電源部を稼動状態に制御することにより、前記課題を解決する。
【０００５】
また本発明の電子機器は、更に電源スイッチ及び前記電源スイッチのオフを検出する検出手段を備え、前記第１制御部は、前記検出手段により前記電源スイッチがオフであることを検出すると前記第1電源の備えるコンデンサに蓄えられた電荷からの電力供給が停止する前に処理中データの退避処理を行うことが好ましい。
【０００６】
また本発明の電子機器は、電子機器内の第１の部分を動作制御する動作制御部と、前記動作制御部に電源供給するサブ電源部と、電子機器内の第２の部分を駆動制御する駆動制御部と、前記駆動制御部に電源供給するメイン電源部と、前記メイン電源部およびサブ電源部を制御する電源制御部と、前記電源制御部に電源供給する常駐電源部と、前記動作制御部と電源制御部を接続する通信線とを備え、前記通信線の異常時には前記電源制御部はメイン電源部及びサブ電源部を稼動状態に制御するものである。
また本発明の電子機器は、更に電源スイッチ及び前記電源スイッチのオフを検出する検出手段を備え、前記動作制御部および駆動制御部は、前記検出手段により前記電源スイッチがオフであることを検出すると前記メイン電源部およびサブ電源部の備えるコンデンサに蓄えられた電荷からの電力供給が停止する前に処理中データの退避処理を行うことが好ましい。
【０００７】
また本発明の電子機器は、電子機器内の第１の部分を動作制御する動作制御部と、前記動作制御部に電力供給するサブ電源部と、電子機器内の第２の部分を駆動制御する駆動制御部と、前記駆動制御部に電力供給するメイン電源部と、前記メイン電源部およびサブ電源部を制御し機能スイッチを有する電源制御部と、前記電源制御部に電力供給する常駐電源部と、前記動作制御部と前記電源制御部を接続する通信線と、前記サブ電源部と前記メイン電源部と前記常駐電源部からなり商用電源から電力供給される直流電源部と、商用電源から前記直流電源部への電力供給状況を示す一次側信号を生成する一次側信号生成部とを備え、前記通信線の異常時に前記電源制御部は機能スイッチのオフを検出したとき、前記一次側信号の生成を停止させて駆動制御部に機能スイッチのオフを検出させ、メイン電源部及びサブ電源部をオフにすることを特徴とする。
【０００８】
また本発明の電子機器は、表示部を更に備え、前記通信線の異常時に表示部にトラブル表示するとよい。
また本発明の電子機器は、前記動作制御部および駆動制御部は前記機能スイッチのオフを検出したときは処理中データの退避処理を行うことが望ましい。
【発明の効果】
【０００９】
本発明の電子機器は、第１の制御部と第２の制御部を接続する通信線の異常時に、第２制御部が前記第１電源部を稼動状態に制御するので、通信線を利用した機能以外の電子機器の機能を利用可能にし、トラブル状態を通知するようにすることができる。
また本発明の電子機器は、第１の制御部と第２の制御部を接続する通信線異常時に、電源スイッチのオフを検出したとき、データ退避処理するので、データ保護ができる。
また本発明は、第１の制御部と第２の制御部を接続する通信線の異常時に、電源制御部が機能スイッチのオフを検出したとき、商用電源の接続状態を示す一次側信号の生成を停止させて、駆動制御部に電源スイッチのオフを検出させ、メイン電源部及びサブ電源部をオフにするので、電源スイッチをオフしたときもデータ退避を確実に行える。
また本発明は、通信線の異常時に、表示部にトラブル表示するので、修理箇所を早期に発見することができる。
【発明を実施するための最良の形態】
【００１０】
本発明は、電子機器を制御する第１の制御部と、前記第１の制御部に電力供給する第１電源部と、前記電源部を制御する第２の制御部と、前記第１の制御部と第２の制御部を接続する通信線を備え、前記通信線の異常時に、前記２制御部が前記第１電源部を稼動状態に制御する電子機器である。ここで電子機器は広義に解釈され、本発明は少なくとも２つの制御部を備え、２つの制御部間を通信線で接続するような機器に適用できる。特に本発明は電源オフ時に課金情報のような重要情報が損なわれてはならない機器に使用すると好適である。
【００１１】
（実施形態１）
本発明の実施形態１を画像形成装置に適用した場合について説明する。実施形態１は、図１に示すように画像形成装置はコンセント１により、商用交流電源に接続され、主電源スイッチ２を介し、一次側電圧４０として直流電源部３に接続される。直流電源部３はスイッチング電源よりなる常駐電源４、サブ電源５、メイン電源６により構成される。従って、常駐電源４、サブ電源５、メイン電源６の稼動または停止は、スイッチング電源のスイッチング発振をオンまたはオフすることにより制御できる。常駐電源４は電源制御ＣＰＵ７に、サブ電源５は動作制御ＣＰＵ８に、メイン電源６は駆動制御ＰＵ９に交流／直流変換して、直流電源を供給する。なお請求項1において、画像形成装置各部を制御する制御部である動作制御ＣＰＵ８および駆動制御ＰＵ９が第１の制御部に相当し、前記第1の制御部に電力を供給するサブ電源５およびメイン電源６が第１電源部に相当し、電源制御ＣＰＵ７が第２の制御部に相当する。
【００１２】
動作制御ＣＰＵ８は画像形成装置の各部分を制御する動作制御部分であって、この実施形態１ではスキャナの動作制御部、プリンタエンジンに転送する画像データの受信、加工、転送を行う制御部、ＦＡＸの送受信制御部の制御を行う。駆動制御ＣＰＵ９は画像形成装置のプリンタエンジンの制御、例えば定着装置の温度制御や駆動モータの制御を行う。
なお図示されていない表示部は、メイン電源６から電力供給を受け、動作制御ＣＰＵ８により制御され表示動作を行う。
動作制御ＣＰＵ８と、駆動制御ＣＰＵ９の上記制御部分の分担は一例であって、動作制御ＣＰＵ８と駆動制御ＣＰＵ９の制御部分は、適宜入替わってもよいし、更に別のＣＰＵを備え、その別のＣＰＵに動作制御ＣＰＵ８、駆動制御ＣＰＵ９の制御部分を分担させてもよい。また動作制御ＣＰＵ８、駆動制御ＣＰＵ９が上記制御部分以外の部分を制御してもよい。
【００１３】
本発明では、電源制御ＣＰＵ７は、常駐電源４から電源供給を受け、サブ電源５およびメイン電源６の起動または停止を制御する。電源制御ＣＰＵ７は機能スイッチ１０を備え、機能スイッチ１０のオン・オフにより電源制御ＣＰＵ７を作動させて、サブ電源５およびメイン電源６を制御する。
主電源スイッチ２がオンされた状態で機能スイッチ１０が操作者によりオンにされたときはサブ電源５、メイン電源６とも起動し、動作制御ＣＰＵ８、駆動制御ＣＰＵ９に直流電力を供給する状態となり、画像形成装置の全機能が起動し、利用可能な状態にされる。
主電源スイッチ２がオンされた状態で機能スイッチ１０が操作者によりオフされたときは、電源制御ＣＰＵ７はサブ電源５、メイン電源６を停止するよう制御し、画像形成装置は節電モードであるＦＡＸ受信の待機状態となる。電源制御ＣＰＵ７はＦＡＸ受信の検知機能を備えており、ＦＡＸ受信の待機状態において電源制御ＣＰＵ７はＦＡＸ受信を検知したときに、電源制御ＣＰＵ７はサブ電源５、メイン電源６を起動し、動作制御ＣＰＵ８、駆動制御ＣＰＵ９に直流電力を供給する状態となり画像形成装置のＦＡＸ受信機能が起動する。
または、時間帯指定ＦＡＸ送信が操作者により指定された状態において機能スイッチ１０がオフされたときは、節電モードである時間帯指定ＦＡＸ送信待機状態となり、サブ電源５のみを起動し動作制御ＣＰＵ８を動作状態とし、メイン電源６は停止し駆動制御ＣＰＵ９は停止状態とする。動作制御ＣＰＵ８に備えられた時計機能により動作制御ＣＰＵ８がＦＡＸ送信時間に到達したことを検出すると、動作制御ＣＰＵ８は予め記憶手段に格納された画像データのＦＡＸ送信を実行する。送信が完了すると、動作制御ＣＰＵ８は処理中のデータを図示しない不揮発性メモリ又はＨＤＤへ保存するデータ退避処理の後、電源制御ＣＰＵ７に送信完了の通知を行い、通知を受けた電源制御ＣＰＵ７はサブ電源５を停止し動作制御ＣＰＵ８を停止状態とし、その後は前記のＦＡＸ受信の待機状態となる。
【００１４】
電源制御ＣＰＵ７は動作制御ＣＰＵ８と接続する通信線１１を備える。電源制御ＣＰＵ７は動作制御ＣＰＵ８からの指示を通信線１１を介して受信し、メイン電源６とサブ電源５のオン・オフ制御を行う。また通信線１１は、電源制御ＣＰＵ７と動作制御ＣＰＵ８の動作状態を確認するために通信をする。例えば、時間帯指定ＦＡＸ送信を行えるよう画像形成装置が待機中でも動作制御ＣＰＵ８がＦＡＸ送信完了まで動作継続し、ＦＡＸ送信が終了したとき、電源制御ＣＰＵ７に送信完了を通知する。電源制御ＣＰＵ７はＦＡＸ送信完了の通知を受けると、待機状態に移行する。図１では通信線１１は動作制御ＣＰＵ８と接続する１本の通信線１１のみを描いているが、電源制御ＣＰＵ７または動作制御ＣＰＵ８に接続する他の接続線と束にして接続される。
また動作制御ＣＰＵ８は駆動制御ＣＰＵ９と接続する通信線１４を備える。通信線１４を介して動作制御ＣＰＵ８から駆動制御ＣＰＵ９へデータ退避の指示、または駆動制御ＣＰＵ９から動作制御ＣＰＵ８へデータ退避の指示を行う。また通信線１４を介して動作制御ＣＰＵ８から駆動制御ＣＰＵ９へ通常の動作状態に移行する旨の指示、通信線１１でトラブル発生した場合のトラブル表示の指示、等データ通信を行う。
【００１５】
電源制御ＣＰＵ７および常駐電源４は可能な限り消費電力の小さいものが使用され、画像形成装置の節電モードを有効にする。動作制御ＣＰＵ８、駆動制御ＣＰＵ９は前記制御部分を制御するのに十分な電流容量を持つ。またサブ電源５は動作制御ＣＰＵ８を駆動するのに十分な電流容量を有し、メイン電源６は駆動制御ＣＰＵ９を駆動するのに十分な電流容量を有する。一般的にはメイン電源６の方がサブ電源５より大きい電流容量を有する。従って、待機状態のとき常駐電源４は電源制御ＣＰＵ７の節電モ−ド時に必要な電力のみを供給し、待機時消費電力を小さくする。待機時は電源制御ＣＰＵ７によりサブ電源５およびメイン電源６はオフ状態に制御される。
【００１６】
本発明において、上記常駐電源４、サブ電源５、メイン電源６、電源制御ＣＰＵ７、動作制御ＣＰＵ８、駆動制御ＣＰＵ９はプリント配線基板(以下、回路ボード)に搭載され、回路ボードは、コネクタに挿入することにより、回路ボード間が接続される。常駐電源４、サブ電源５、メイン電源６、電源制御ＣＰＵ７、動作制御ＣＰＵ８、駆動制御ＣＰＵ９はそれぞれ別の回路ボードに搭載することは必要でなく、適宜ブロックを形成して回路ボードに搭載してもよい。
【００１７】
以上のような構成の画像形成装置は、図２のフローチャートのように動作する。図２のフローチャートは、電源制御ＣＰＵ７のフローチャートと、動作制御ＣＰＵ８のフローチャートと、駆動制御ＣＰＵ９のフローチャートを示し、各フローチャート間の通信を点線で結んで示している。図３、図４、図８、図１０も同様に３つのフローチャートを示す。
【００１８】
まず、電源制御ＣＰＵ７のフローチャートを説明する。
画像形成装置は、コンセント１が商用電源２０に接続され、主電源スイッチ２が使用者によって、オンにされることにより動作を開始する（Ｓ１）。あるいは主電源スイッチ２をオンにした状態のままでコンセント１を商用電源に接続したり、停電が復帰したりしたとき、ステップＳ１の状態になる。これにより常駐電源４が動作状態になり、電源制御ＣＰＵ７に直流電源が供給される。
この電源供給により電源制御ＣＰＵ７は起動され（Ｓ２）、電源制御ＣＰＵ７は、サブ電源５をオンにするように制御する（Ｓ３）。即ち、図１の接続線１２によりオンになるように制御する。ここでサブ電源５をオンに制御するとは、スイッチング電源のスイッチング発振をオンにすることを言う。次に通信線１１を介して動作制御ＣＰＵ８と通信を実行する(通信１で示す。)（Ｓ４）。また節電モード時にＦＡＸの着呼あるいは機能スイッチ１０のオンを検出したとき通信を行う。
【００１９】
この通信が正常に行われた場合（Ｓ５のＹ）、電源制御ＣＰＵ７はメイン電源６をオンにするよう制御する（Ｓ６）。即ち図１の接続線１３を通してオン制御信号を送る。通信異常の場合（Ｓ５のＮ）、通信トラブルのルーチンＳ１０１へ進む。通信トラブルのルーチンは図４のフローチャートにより後述する。
以上のようにして、サブ電源５およびメイン電源６がオン状態になると、画像形成装置は全機能が動作状態になり、通常の画像形成装置の動作を実行する。この動作状態は機能スイッチ１０がオフにされるまで継続する（Ｓ７のＮ）。
【００２０】
そして、電源制御ＣＰＵ７が機能スイッチ１０のオフを検出すると（Ｓ７のＹ）、電源制御ＣＰＵ７は動作制御ＣＰＵ８に機能スイッチ１０のオフ情報を通信線１１により送信する(通信２で示す。)。すると動作制御ＣＰＵ８はオフ動作を行い、動作制御ＣＰＵ８からメイン電源のオフ指示が通信線１１により送られてくるので、電源制御ＣＰＵ７はこれを受ける(通信３で示す。)。電源制御ＣＰＵ７はメイン電源６のオフ指示に従い、メイン電源６をオフ制御する（Ｓ８）。即ち、接続線１３によりオフ制御信号を送る。
その後、電源制御ＣＰＵ７は動作制御ＣＰＵ８からのサブ電源のオフ指示を受ける(通信４で示す。)。このオフ指示は通信４で示すように、通信線１１により送信されてくる。電源制御ＣＰＵ７はサブ電源５のオフ指示に従い、サブ電源５をオフに制御する（Ｓ９）。即ち、接続線１２によりオフ制御信号を送る。
このようにして、サブ電源５およびメイン電源６をオフにして節電モードになる。その後、もしＦＡＸの着呼があると（Ｓ１０）、あるいは機能スイッチ１０のオンを検出すると、前記サブ電源起動のステップＳ３に戻る。
【００２１】
次に動作制御ＣＰＵ８のフローチャートを説明する。
動作制御ＣＰＵ８の最初のステップＳ１１は、前記ステップＳ３で、電源制御ＣＰＵ７から出されたオン制御信号を接続線１２によりサブ電源５が受け、オンになる。これにより動作制御ＣＰＵ８は、サブ電源５から電源供給を受け起動する。動作制御ＣＰＵ８が起動すると、動作制御ＣＰＵ８は電源制御ＣＰＵ７と通信線１１により双方向通信を実行する(通信１で示す。)（Ｓ１２）。この通信が正常である場合は（Ｓ１３のＹ）次のステップＳ１４に進む。通信異常の場合（Ｓ１３のＮ）は、通信トラブルのルーチンＳ１１１へ進む。通信トラブルのルーチンは後述する。ステップＳ１４では画像形成装置の全機能を通常通り立ち上げる。
【００２２】
もし、ユーザが動作制御ＣＰＵ８に対して通常立ち上げを設定していない場合（Ｓ１４のＮ）、エンジン静止立ち上げのステップＳ５１に移る。静止立ち上げとは、ＦＡＸ受信やプリントデータ受信の待機状態のように、特にプリンタエンジンを起動させる必要のない場合で、エンジン部分は停止させて、動作制御部分だけがオン状態になる状態を指す。静止立ち上げは図３により後述する。
次にステップＳ１５では動作制御ＣＰＵ８は駆動制御ＣＰＵ９と通信線１４を介して通信し(通信５で示す。)、通常の動作状態を実行する（Ｓ１６）。即ちステップＳ１６では動作制御ＣＰＵ８はサブ電源５から電源供給を受け、ウオームアップし、コピーモード、プリントモード、スキャンモードの待機状態になる。ここでコピーボタンが押されるとコピー動作を実行し、またスキャンボタンが押されるとスキャン動作を実行し、ＦＡＸボタンが押されるとＦＡＸ動作を実行する。
【００２３】
そして、前記電源制御ＣＰＵ７のステップＳ７において、動作制御ＣＰＵ８が電源制御ＣＰＵ７より、通信線１１により機能スイッチ１０のオフ信号を受けると(通信２で示す。)、動作制御ＣＰＵ８に割り込みトリガがかかる。このトリガは動作制御ＣＰＵ８によって上記オフ信号による割り込みトリガとして検知される（Ｓ１７のＹ）。このトリガにより、動作制御ＣＰＵ８は通信線１４により駆動制御ＣＰＵ９へ使用中のデータを図示しない不揮発性メモリもしくはＨＤＤに退避するよう退避指示を出す(通信６で示す。)（Ｓ１８）。駆動制御ＣＰＵ９のデータ退避に要する時間を経過した後に、メイン電源６のオフ指示を通信線１１により電源制御ＣＰＵ７へ出す(通信３で示す。)（Ｓ１９）。次のステップＳ２０では動作制御ＣＰＵ８は自身のデータを図示しない不揮発性メモリもしくはＨＤＤに退避させる。次にステップＳ２１で、動作制御ＣＰＵ８はサブ電源５のオフ指示を電源制御ＣＰＵ７へ出す(通信４で示す。)。サブ電源５のオフ制御が電源制御ＣＰＵ７より接続線１２により出されると、サブ電源５はこれを受け、サブ電源５をオフにする。サブ電源５をオフにするとは、スイッチング電源のスイッチング発振をオフにすることを言う。これにより動作制御ＣＰＵ８は電源供給が停止され、動作を停止する（Ｓ２２）。これにより節電モードになる。
【００２４】
次に駆動制御ＣＰＵ９のフローチャートを説明する。
前記したように、電源制御ＣＰＵ７のステップＳ６において、メイン電源６のオン制御信号が接続線１３を通して出されると、メイン電源６がオンになり（Ｓ３１）、これによりメイン電源６から電源が供給され、駆動制御ＣＰＵ９が起動する（Ｓ３２）。次に駆動制御ＣＰＵ９は、動作制御ＣＰＵ８と通信線１４を介して通信する(通信５で示す。)（Ｓ３３）。その後、画像形成装置の全機能を通常通り立ち上げる（Ｓ３４）。即ちメイン電源６から電源供給を受け、ウオームアップし、コピーモード、プリントモード、スキャンモードの待機状態になる。ここでコピーボタンが押されるとコピー動作を実行する。またスキャンボタンが押されるとスキャン動作を実行する。またＦＡＸボタンが押されるとＦＡＸ動作を実行する。
【００２５】
そして、動作制御ＣＰＵ８のステップＳ１８において、駆動制御ＣＰＵ９が動作中のデータを退避するよう退避指示を受けると(通信６で示す。)、使用中のデータを退避させる（Ｓ３５）。また電源制御ＣＰＵ７のステップＳ８により、メイン電源６のオフ制御を受けると、メイン電源６をオフにする（Ｓ３６）。このため駆動制御ＣＰＵ９は電源供給が停止され、動作を停止する。これにより節電モードになる。
【００２６】
次にステップＳ５１のエンジン静止立ち上げモードを図３により説明する。
上記動作制御ＣＰＵ８のステップＳ１４で、通常立ち上げでない場合（Ｓ１４のＮ）、ステップＳ５１で、動作制御ＣＰＵ８は、通信線１４により通信１１で示すように、エンジンリセット指示を駆動制御ＣＰＵ９へ出す。このエンジンリセット指示を駆動制御ＣＰＵ９が受けると、駆動制御ＣＰＵ９は動作中のデータを退避させる（Ｓ６１）。次に動作制御ＣＰＵ８は、メイン電源６のオフ指示を通信線１１により電源制御ＣＰＵ７に出す(通信１２で示す。)（Ｓ５２）。すると電源制御ＣＰＵ７は、接続線１３を通してメイン電源６のオフ制御を出し（Ｓ７１）、メイン電源６をオフにし、駆動制御ＣＰＵ９の動作を停止させる（Ｓ６２）。
【００２７】
次にステップＳ５３では、動作制御ＣＰＵ８はサイレント動作を行う。即ち、ＦＡＸの受信待ち、プリントのデータ待ち状態になる。ＦＡＸデータ又はプリントデータを受信すると、復帰が必要と判断し（Ｓ５４のＹ）、電源制御ＣＰＵ７に対してメイン電源６を起動するよう指示し（Ｓ５５）、メイン電源６を起動し駆動制御ＣＰＵ９を起動させて図２のステップＳ１５に戻り、通常動作状態になる。復帰しない場合（Ｓ５４のＮ）、電源制御ＣＰＵ７からの割り込みがあるか否か監視し、割り込みがなければ（Ｓ５６のＮ）、ステップＳ５３に戻る。
【００２８】
ここで、前記電源制御ＣＰＵ７のステップＳ７で説明したように、電源制御ＣＰＵ７が機能スイッチ１０のオフ信号を検出し、これを通信線１１により動作制御ＣＰＵ８が受け(通信１３で示す。)、動作制御ＣＰＵ８に機能スイッチ１０のオフの割り込みがあると、ステップＳ５６以降の動作に進む。
即ち、動作制御ＣＰＵ８はデータ退避を行い（Ｓ５７）、サブ電源５のオフ指示を通信線１１により電源制御ＣＰＵ７へ出す(通信１４で示す。)（Ｓ５８）。これにより電源制御ＣＰＵ７はサブ電源５のオフ制御を出し（Ｓ５９）、サブ電源５をオフにし、動作制御ＣＰＵ８を動作停止させる（Ｓ６０）。その後、電源制御ＣＰＵ７は、ＦＡＸの着呼、電源スイッチのオンを監視する。ＦＡＸ着呼または電源スイッチオンを検知したら図２のＳ３に移行する。（Ｓ７２）
【００２９】
以上のような通常動作に対して、通信線１１に異常がある場合、図４のフローチャートのように動作する。ここで通信線１１の異常とは断線または短絡を意味し、更に具体的には、画像形成装置のメンテナンス、修理時、あるいは開発時に、電源制御ＣＰＵ７、動作制御ＣＰＵ８、駆動制御ＣＰＵ９の回路ボードを抜き差しする際に、誤ってコネクタピンを折り曲げたり、押し潰したりして断線、短絡を起こすことがある。あるいは通信線を切断することがある。また通信ポート異常のために通信ができない場合がある。
本発明は、このように通信異常の場合も画像形成装置の立ち上げを可能にし、また安全に停止させるものである。さらに障害が発生していることを利用者に報知するものである。
【００３０】
前記図２で示したように、ステップＳ４およびステップＳ１２で、電源制御ＣＰＵ７と動作制御ＣＰＵ８が通信線１１により双方向通信を行う(通信１で示す。)。この通信が正常な場合（Ｓ５のＹ、Ｓ１３のＹ）、電源制御ＣＰＵ７は図２のステップＳ６に戻り、動作制御ＣＰＵ８は図２のステップＳ１４に戻る。しかし通信線１１が異常の場合、図４に示すように電源制御ＣＰＵ７と動作制御ＣＰＵ８は通信をリトライする（通信１で示す。）。それでも通信ができない場合、所定時間後、電源制御ＣＰＵ７と動作制御ＣＰＵ８は通信異常と判断する（Ｓ５のＮ、Ｓ１３のＮ）。
ステップＳ１３で動作制御ＣＰＵ８が電源制御ＣＰＵ７との通信異常を判断すると（Ｓ１３のＮ）、ステップＳ１１１で駆動制御ＣＰＵ９と通信線１４を通して通信し(通信２１で示す。)、駆動制御ＣＰＵ９にトラブル表示指示を出す(通信２２で示す。)（Ｓ１１２）。次に動作制御ＣＰＵ８は通常の動作状態を実行する（Ｓ１１３）。即ちステップＳ１１３では動作制御ＣＰＵ８はサブ電源５から電源供給を受け、ウオームアップし、コピーモード、プリントモード、スキャンモードの待機状態になる。ここでコピーボタンが押されるとコピー動作を実行し、またスキャンボタンが押されるとスキャン動作を実行し、またＦＡＸボタンが押されるとＦＡＸ動作を実行する。時間帯指定ＦＡＸ送信の実行は不可能なので動作制御ＣＰＵ８は操作者からその設定がされることを禁止する。
【００３１】
一方、上記のように、電源制御ＣＰＵ７が動作制御ＣＰＵ８と正常な通信ができない場合（Ｓ５のＮ）、電源制御ＣＰＵ７はステップＳ１０１で接続線１３を通してメイン電源６にオン制御を出す。このメイン電源６のオン制御により、メイン電源６はオンになる。メイン電源６がオンになることにより、駆動制御ＣＰＵ９が起動され（Ｓ１２１）、動作制御ＣＰＵ８と通信する(通信２１で示す。)（Ｓ１２２）。次に動作制御ＣＰＵ８からトラブル表示指示を受け(通信２２で示す。)、駆動制御ＣＰＵ９はトラブル表示する（Ｓ１２３）。トラブル表示の内容は、例えば、「トラブルコード○○  電源を切るときは、電源スイッチと主電源スイッチを両方切ってください」である。
このように通信線１１に異常がある場合、従来は画像形成装置の電源投入ができずにトラブルの原因が分かりにくくなるが、本発明では通信異常時に電源制御ＣＰＵ７がメイン電源部６をオンにして表示部にトラブルの状況を表示することができる。特に本発明では通信２により、通信線１１の異常が検出されるので、表示部に通信線１１の異常を知らせるコード番号で表示できる。そしてステップＳ１２４では、通常の動作状態を実行する。  即ちステップＳ１２４では駆動制御ＣＰＵ９はメイン電源６から電源供給を受け、ウオームアップし、コピーモード、プリントモード、スキャンモードの待機状態になる。この状態でコピーボタンが押されるとコピー動作を実行し、またスキャンボタンが押されるとスキャン動作を実行し、またＦＡＸボタンが押されるとＦＡＸ動作を実行する。このように通信線１１の異常時も時間帯指定ＦＡＸ送信以外の通常動作を可能にする。
【００３２】
そして、通信線１１が異常の場合、機能スイッチ１０がオフになっても電源制御ＣＰＵ７から動作制御ＣＰＵ８に通信ができないため、図２のフローチャートで説明した通り、通常動作のようにステップＳ７で機能スイッチのオフを検出し、その検出信号を通信線１１により、通信２に示すように動作制御ＣＰＵ８に通知することができない。このため通信線異常の場合は、データ退避後、機能スイッチ１０からサブ電源５、メイン電源６をオフにするように、各ＣＰＵ、各電源部を順序通りに動作させることができない。
従ってここでは、機能スイッチ１０によってサブ電源５、メイン電源６をオフできないようにすることで、動作制御ＣＰＵ８および駆動制御ＣＰＵ９が制御する記憶手段のデータを保護するようにしている。例えば記憶手段は画像形成装置の場合、コピー枚数や課金情報を記憶しているが、これらデータがなくなったり、間違ったりするのを防止する。
【００３３】
このように通信線異常の場合に、常駐電源４、サブ電源５、メイン電源６をオフにするためには、主電源スイッチ２をオフにする、コンセントを抜く、画像形成装置の商用電源２０のブレーカを切ることによりオフにする。このようにして電源を切ることにより、常駐電源４、サブ電源５及びメイン電源６をオフにできる。本発明では、商用電源２０が直流電源部３に接続され、商用電源２０からの電力が直流電源部３に供給されているか否かを検出するために、直流電源部３の一次側電圧に基づいて、商用電源２０が直流電源部３に接続されていることを示す一次側信号を生成する。この一次側信号は駆動制御ＣＰＵ９に一次側信号生成部を備え、また一次側信号を検出する一次側信号検知手段を備える。
【００３４】
具体的には、図1に示す直流電源部３に接続される商用電源２０から主電源スイッチ２を介して各電源に接続される箇所での電圧である一次側電圧４０を一次側信号生成手段に入力し一次側信号を生成して、一次側信号が０に変化したことを一次側信号検知手段により検知することにより一次側電圧が０になったことを検知する。サブ電源５及びメイン電源６から出力される直流電源電圧(図６  ＤＣ出力として示す)が動作制御ＣＰＵ８や駆動制御ＣＰＵ９が動作できないほどまでに低下する前に、一次側信号検知手段により駆動制御ＣＰＵ９はメイン電源６に供給される一次側電圧が０になったことを検知すると（Ｓ１２５のＹ）、メイン電源９の直流電源電圧が完全に低下するまでの間に駆動制御ＣＰＵ９は動作制御ＣＰＵ８へ使用中のデータを退避するよう通信線１４により（通信２３で示す。）退避指示を出す（ Ｓ１２６）。また駆動制御ＣＰＵ９は自身のデータを退避させる（Ｓ１２７）。その後、メイン電源６はオフになり、駆動制御ＣＰＵ９の動作を停止する（Ｓ１２８）。同様にサブ電源５もオフになり、動作制御ＣＰＵ８も動作を停止する（Ｓ１１５）。
【００３５】
詳説すると、電源制御ＣＰＵ７によるメイン電源６、サブ電源５ら各電源の起動および停止は、直流電源部３のスイッチング発振のオンおよびオフにより制御しており、スイッチング発振をオフすると、直流電源部３から出力される直流電源電圧は急激に低下しデータの退避時間を確保することができない。一方主電源スイッチ２をオフにする、コンセントを抜く、画像形成装置の商用電源２０のブレーカを切ることによりオフにした場合、スイッチング発振は継続されており、図６の整流器２１の直後のコンデンサ２２により保持された電荷により電源から出力される直流電源電圧はなだらかに低下するので、データの退避時間の確保が可能である。
一次側信号生成手段は実施形態２で詳説するフルウエーブ信号（ＦＷ信号）を生成する手段、もしくは実施形態３で詳説するパワーオフ信号（ＰＯＦ信号)を生成する手段である。
また一次側信号検知手段は前記フルウエーブ信号（ＦＷ信号）を監視し、フルウエーブ信号が０となって所定時間（交流半波サイクルで２．５サイクル）以上発生しないことを検知するものである。またはパワーオフ信号（ＰＯＦ信号)を監視しパワーオフ信号が０になったことを検知して、一次側電圧が０になったことを検知するものである。
【００３６】
(実施形態２)
図５は実施形態２のブロック図を示す。実施形態１との相違点はメイン電源６からフルウエーブ信号(ＦＷ信号)の取出線１５を備える点、メイン電源６がＦＷ信号生成器を有する点である。
本発明の実施形態１〜３において、常駐電源４、サブ電源５、メイン電源６は、図６に示すようなスイッチング電源により構成される。スイッチング電源は、商用電源２０にコンセントにより接続され、主電源スイッチ２を介して第１整流器２１に接続され、さらに平滑コンデンサ２２を介して第１発信器２３に接続される。第１発振器２３の出力はトランス２４を介して第２整流器２５に供給され、次の電圧安定化回路２６により直流電圧を安定化させて、ＤＣ出力が各部分に供給される。サブ電源５、メイン電源６は、上記第１発信器２３が電源制御ＣＰＵ７により発振オン・オフ制御され、サブ電源５、メイン電源６のオン・オフが制御される。常駐電源４は、電源制御ＣＰＵ７により発振制御されることがなく、主電源スイッチ２のオン・オフにより動作制御される。
【００３７】
メイン電源６では、更に図６に示すように第１整流器２１に並列接続したトランス２７を介して第３整流器２８が接続される。第３整流器２８の出力はＦＷ信号生成器２９に供給される。ＦＷ信号生成器２９は商用電源２０からゼロクロスパルスを生成する。即ち、図７（ａ）は商用電源の交流波形を示し、図７（ｂ）はＦＷ信号を示す。ＦＷ信号は、商用電源２０の交流のゼロクロス点で生成するゼロクロスパルスである。（但し、サブ電源５、常駐電源７ではトランス２６、整流器２７、ＦＷ信号生成器２８は不要。）このＦＷ信号の有無により電源制御ＣＰＵ７と動作制御ＣＰＵ８との通信線１１が異常の場合に、処理中のデータを図示しない不揮発性メモリへ退避させ、コピー枚数データや課金データのような重要情報のデータ化けを防止するよう制御する。
つまり、通信線１１が正常の場合、図２のフローチャートで説明したように主電源スイッチ２のオンにより常駐電源４が動作開始し、電源制御ＣＰＵ７が起動して、サブ電源５をオン制御し、動作制御ＣＰＵ８を起動する。その後電源制御ＣＰＵ７と動作制御ＣＰＵ８が通信線１１により通信した後、メイン電源６をオン制御し、駆動制御ＣＰＵ９を起動する。
また機能スイッチ１０がオフされたときは、電源制御ＣＰＵ７が機能スイッチ１０のオフを通信線１１を介して動作制御ＣＰＵ８に通知し、駆動制御ＣＰＵ９にデータ退避させた後、メイン電源６を動作停止させる。また動作制御ＣＰＵ８のデータ退避させた後、サブ電源５を動作停止させる。
【００３８】
以上のような順序でオン・オフが実行される場合は、動作制御ＣＰＵ８、駆動制御ＣＰＵ９の動作が混乱なく実行され、またデータ化けもない。しかし、通信線１１に異常がある場合、電源制御ＣＰＵ７と動作制御ＣＰＵ８の通信ができないため、上記オン・オフの順序を保つことができなくなる。特に機能スイッチ１０がオフされた場合、電源制御ＣＰＵ７と動作制御ＣＰＵ８の通信がないと、データ退避のための順序が保てなくなり、データ化けを起こす恐れがある。即ち、機能スイッチ１０がオフされると、電源制御ＣＰＵ７が接続線１２，１３によりサブ電源５、メイン電源６をオフにする。本発明ではサブ電源５およびメイン電源６がスイッチング電源により構成されているので、電源制御ＣＰＵ７よりサブ電源５およびメイン電源６のスイッチング動作が停止されると、直ちに直流電源電圧が低下する。このため動作制御ＣＰＵ８、駆動制御ＣＰＵ９にデータ退避させることができない。
【００３９】
図８は、通信線１１が異常の場合にＦＷ信号を使用してオフ動作を行うフローチャート図を示す。ステップＳ１１３、Ｓ１２４までは図４と同じである。
なお本実施形態でのＳ１２３におけるトラブル表示の内容は、例えば、「トラブルコード○○」である。本実施形態では機能スイッチ１０をオフにしても良いので、実施形態１のように主電源スイッチを切るよう表示する必要は無い。
ステップＳ１１３、Ｓ１２４では、常駐電源４、サブ電源５、メイン電源６が動作し、電源制御ＣＰＵ７、動作制御ＣＰＵ８、駆動制御ＣＰＵ９が通常動作している。ここで機能スイッチ１０がオフになると、電源制御ＣＰＵ７がステップＳ１３０で機能スイッチ１０のオフを検出する。これにより電源制御ＣＰＵ７はＦＷ信号停止手段３０に対しＦＷ信号停止指示を出す（Ｓ１３１）。
このＦＷ信号停止指示により、ＦＷ信号停止手段３０の端子３１はＨＩＧＨ電位とされオン状態となりＦＷ取出線１５を接地する。ＦＷ信号は強制的に接地電位となり、ＦＷ信号の生成が停止された時、すなわちコンセントを抜く、画像形成装置の商用電源２０のブレーカを切ることによりオフにした場合と実質的に同じ状態になる。
ＦＷ信号の停止により駆動制御ＣＰＵ９は一次側信号検知手段により電源オフを検出し（Ｓ１３２のＹ）、動作制御ＣＰＵ８にデータ退避指示を出し(通信３１で示す。)（Ｓ１３３）、また自身のデータを退避させる（Ｓ１３４）。動作制御ＣＰＵ８はデータ退避指示を受けると、データ退避をする（Ｓ１３５）。
【００４０】
電源制御ＣＰＵ７は、機能スイッチ１０のオフを検出した後、電源制御ＣＰＵ７に内蔵する退避タイマーを動作させる（Ｓ１３６）。退避タイマーは、動作制御ＣＰＵ８および駆動制御ＣＰＵ９が上記のようにデータ退避するだけの時間を計測する。データ退避時間は、０．１〜３秒程度である。退避タイマーが時間経過動作を完了すると（Ｓ１３６のＹ）、サブ電源５とメイン電源６をオフ制御する（Ｓ１３７、Ｓ１３８）。これにより、サブ電源５がオフになり、動作制御ＣＰＵ８が動作停止する（Ｓ１３９）。またメイン電源６がオフになり、駆動制御ＣＰＵ９が動作停止する（Ｓ１４０）。その後、電源制御ＣＰＵ７は、ＦＡＸの着呼、電源スイッチのオンを監視する（Ｓ１４１）。ＦＡＸの着呼、電源スイッチのオンを検知すると図２のＳ３に移行する。
【００４１】
(実施形態３)
図９は実施形態３のブロック図を示す。実施形態２との相違点は電源制御ＣＰＵ７と駆動制御ＣＰＵ９間におよび動作制御ＣＰＵ間にパワーオフ信号(ＰＯＦ信号)線１６を備える点、および駆動制御ＣＰＵがＰＯＦ信号生成器を有する点である。ＰＯＦ信号は、図７においてメイン電源から出力されるＦＷ信号を基にして、駆動制御ＣＰＵにより生成される。ＰＯＦ信号は図７（ｃ）に示すように商用交流電源がオフにされた後、交流半波２サイクル半後にハイレベルからローレベルに変化する信号である。
実施形態３のフローチャートは図１０に示すように、電源制御ＣＰＵ７が機能スイッチ１０のオフを検出すると（Ｓ１３０）、ＰＯＦ信号停止指示を出す（Ｓ１５１）。
このＰＯＦ信号停止指示により、前述のＦＷ信号停止手段における手法と同様の手法により電源制御ＣＰＵはＰＯＦ取出線１６を接地する。ＰＯＦ信号は強制的に接地電位となり、ＰＯＦ信号の生成が停止された時、すなわちコンセントを抜く、画像形成装置の商用電源２０のブレーカを切ることによりオフにした場合と実質的に同じ状態になる。
ＰＯＦ信号の停止により駆動制御ＣＰＵ９は一次側信号検知手段により電源オフを検出し（Ｓ１３２のＹ）、自身のデータを退避させる（Ｓ１３４）。
また動作制御ＣＰＵ８にも一次側信号検知手段を設けており、ＰＯＦ信号が接地電位になったことを検知することにより電源オフを検出し（Ｓ１４１）、自身のデータ退避をする（Ｓ１３５）。
その後は図８のフローチャートと同じである。
【００４２】
(その他の実施形態)
本発明は、ハードディスク装置に適用することができる。ハードディスク装置は、時計を備え予約録画の動作を制御するメインＣＰＵと、電源を制御するサブＣＰＵを備え、２つのＣＰＵに通信線が接続される。この構成のハードディスク装置はユーザから電源オフの操作がされると、サブＣＰＵはメインＣＰＵに通信線により通信してデータ退避を行った上で、電源を切断するように動作する。またタイマー録画が終了したときは、メインＣＰＵがサブＣＰＵに通信線によりタイマー終了を通知した後、電源を切断するように動作する。
【図面の簡単な説明】
【００４３】
【図１】実施形態１のブロック図である。
【図２】実施形態１のフローチャート図である。
【図３】実施形態１の静止立ち上げモードのフローチャート図である。
【図４】実施形態１の通信線異常の場合のフローチャート図である。
【図５】実施形態２のブロック図である。
【図６】スイッチング電源の回路図である。
【図７】スイッチング電源のタイムチャート図である。
【図８】実施形態２のフローチャート図である。
【図９】実施形態３のブロック図である。
【図１０】実施形態３のフローチャート図である。
【符号の説明】
【００４４】
２    電源スイッチ
３    直流電源部
４    常駐電源
５    サブ電源
６    メイン電源
７    電源制御ＣＰＵ
８    動作制御ＣＰＵ
９    駆動制御ＰＵ
１０  機能スイッチ
１１  通信線
１２、１３、１４  接続線
【図１】
2007034963.tif 000003
【図２】
2007034963.tif 000004
【図３】
2007034963.tif 000005
【図４】
2007034963.tif 000006
【図５】
2007034963.tif 000007
【図６】
2007034963.tif 000008
【図７】
2007034963.tif 000009
【図８】
2007034963.tif 000010
【図９】
2007034963.tif 000011
【図１０】
2007034963.tif 000012